(57)【要約】【課題】            膝、腰、頭などの患部を冷却または加熱するために使用される水枕などの冷加熱用袋体と冷加熱装置間に設置される液体循環用のチューブに結露を生じることなく永続的に衛生を維持することができる断熱性管体を提供する。【解決手段】        液体流入路用チューブ１１ａと液体流出路用チューブ１１ｂを連結体１１ｃで連結したシリコーン製のソリッドゴム２連チューブ１１とシリコーン製のスポンジ状の断熱性チューブ１２が同時押出成形され、ソリッドゴム２連チューブ１１の外周に断熱性チューブ１２が密着一体化されている。【選択図】          図２
2007040377.tif 000002
【特許請求の範囲】
【請求項１】
複数の管路を備えるソリッドゴムチューブと上記ソリッドゴムチューブの外側にスポンジゴム層を被覆してなる断熱性チューブを備えるフレキシブルな断熱性管体であって、上記ソリッドゴムチューブと上記断熱性チューブとが同時押出成形により接着一体化されていることを特徴とする断熱性管体。
【請求項２】
冷却または加熱装置と冷却または加熱用袋体間に接続される液体循環用の管体として用いられる請求項１に記載の断熱性管体。
【請求項３】
ソリッドゴムチューブと断熱性チューブの双方がシリコーンゴムで押出成形されている請求項１または２に記載の断熱性管体。
【発明の詳細な説明】
【技術分野】
【０００１】
本発明は、断熱性管体に関し、特に、膝、腰、頭などの患部を冷却または加熱するために使用される水枕などの冷加熱用袋体と冷加熱装置間に接続される液体循環用の断熱性管体に関するものである。
【背景技術】
【０００２】
特許文献１には、冷加熱装置と冷加熱用袋体間で熱移動媒体の供給、排出にパイプが使用されている記載がある。このパイプには断熱性を付与することが好ましく、従来、図５、図６のような管体がある。
【特許文献１】特開２０００‐１３９９８５号公報
【０００３】
図５、図６は従来の断熱性管体を示した斜視図であり、図５の断熱性管体４は液体流入用断熱性管路４４と液体流出用断熱性管路４５で構成されている。液体流入用断熱性管路４４と液体流出用断熱性管路４５は離間して図示しない冷加熱装置や冷加熱用袋体に設置される。液体流入用断熱性管路４４は液体流入路用チューブ４１ａを形成するソリッドゴムチューブとスポンジ状の断熱性チューブ４２で構成され、液体流入路用チューブ４１ａと断熱性チューブ４２間には空隙が形成されている。液体流入路用チューブ４１ａと断熱性チューブ４２は各々個別に筒状に押出成形され、断熱性チューブ４２の空洞部４３に液体流入路用チューブ４１ａを形成するソリッドゴムチューブを挿設して、液体流入用断熱性管路４４が形成される。液体流出用断熱性管路４５は液体流出路用チューブ４１ｂを形成するソリッドゴムチューブと断熱性チューブ４２で構成されている。液体流出用断熱性管路４５も液体流入用断熱性管路４４と同様の方法で形成される。液体流出路用チューブ４１ｂと断熱性チューブ４２間には空隙が形成されている。ソリッドゴムチューブはウレタンゴムで形成され、断熱性チューブ４２はシリコーンゴムで形成されている。
【０００４】
図６の断熱性管体５は図５の離間された液体流入用断熱性管路４４と液体流出用断熱性管路４５を一束にしたものである。断熱性管体５は円筒状のスポンジ状の断熱性チューブ５２，液体流入路用チューブ５１ａ，液体流出路用チューブ５１ｂで構成されている。液体流入路用チューブ５１ａ，液体流出路用チューブ５１ｂはソリッドゴムチューブで形成されている。断熱性チューブ５２には形状保持のための形状保持体５２ａが形成されている。液体流入路用チューブ５１ａと液体流出路用チューブ５１ｂは各々の外周に空隙を介して断熱性チューブ５２と形状保持体５２ａで包囲されている。断熱性チューブ５２，液体流入路用チューブ５１ａ，液体流出路用チューブ５１ｂは各々個別に筒状に押出成形され、断熱性チューブ５２の空洞部５３，５３に液体流入路用チューブ５１ａと液体流出路用チューブ５１ｂを各々挿設して、断熱性管体５が形成される。液体流入路用チューブ５１ａ，液体流出路用チューブ５１ｂ，断熱性チューブ５２は図５の断熱性管体４と同様の材料で形成されている。
【発明の開示】
【発明が解決しようとする課題】
【０００５】
しかしながら、図５および図６に示す断熱性管体は筒状のスポンジゴム層を構成する断熱性チューブとソリッドゴムチューブを別々に成形した後、断熱性チューブの空洞部にソリッドゴムチューブを挿通して断熱性管体を形成するという作業上非常に手間のかかる問題があった。また、断熱性チューブとソリッドゴムチューブ間には多少の隙間を形成しなければ、ソリッドゴムチューブを断熱性チューブに挿通することが難しく、この隙間に長年の使用により結露した水が溜まり、不衛生になる問題があった。また、冷加熱装置で冷却または加熱された液体により、断熱性管体が軟化または硬化するという問題があった。
【課題を解決するための手段】
【０００６】
本発明は、上記問題に鑑み、ソリッドゴムチューブとスポンジゴム層を構成する断熱性チューブを同時一体に押出成形することで、ソリッドゴムチューブと断熱性チューブ間に隙間を形成することなく一体密着化され、結露を生じない永年に亘って衛生を維持できるなどの効果を知見し、本発明を完成するに至ったものである。
【０００７】
すなわち、本発明は、複数の管路を備えるソリッドゴムチューブと上記ソリッドゴムチューブの外側にスポンジゴム層を被覆してなる断熱性チューブを備えるフレキシブルな断熱性管体であって、上記ソリッドゴムチューブと上記断熱性チューブとが同時押出成形により接着一体化されている断熱性管体である（請求項１）。また、冷却または加熱装置と冷却または加熱用袋体間に接続される液体循環用の管体として用いることができる（請求項２）。また、ソリッドゴムチューブと断熱性チューブの双方がシリコーンゴムで押出成形されている（請求項３）。
【０００８】
本発明の断熱性管体は、従来考えられていなかったソリッドゴムチューブとスポンジゴム層を被覆してなる断熱性チューブを同時一体に押出成形することで、ソリッドゴムチューブと断熱性チューブ間に隙間を形成することなく一体密着され、結露を生じない永年に亘って衛生を維持することができる。
【０００９】
また、ソリッドゴムチューブと断熱性チューブを押出成形により一体密着化できるので容易に断熱性チューブを成形できる。
【００１０】
また、ソリッドゴムチューブと断熱性チューブをシリコーンゴムで形成することにより、冷加熱装置からの冷却または加熱された液体によって柔軟性を損なわない断熱性チューブを得ることができる。
【００１１】
また、断熱性管体はソリッドゴムチューブと断熱性チューブを一体密着化していることから、冷加熱装置や冷加熱用袋体に接続する際、ソリッドゴムチューブと断熱性チューブを各々個別に固定する必要がなく接続作業性を向上することができる。
【発明の効果】
【００１２】
本発明によれば、成形容易で、結露を防止し永年に亘って衛生を維持でき、温度変化により柔軟性を損なわない、接続作業性を向上した断熱性管体を得ることができる。
【発明を実施するための最良の形態】
【００１３】
以下、本発明の断熱性管体について実施例を参照して説明する。
【実施例】
【００１４】
図１は本発明の断熱性管体の使用例を示す概略図であり、断熱性管体１は冷加熱装置Ａと水枕Ｂ間を液体循環用に配管されている。
【００１５】
図２は本発明の断熱性管体を示した斜視図であり、断熱性管体１はシリコーンゴム製のソリッドゴム２連チューブ１１とシリコーンゴム製のスポンジ状の断熱性チューブ１２で構成されている。ソリッドゴム２連チューブ１１の外周には断熱性チューブ１２で構成されたスポンジゴム層が形成されている。ソリッドゴム２連チューブ１１は液体流入路用チューブ１１ａと液体流出路用チューブ１１ｂを連結体１１ｃで連結して形成されている。ソリッドゴム２連チューブ１１と断熱性チューブ１２は同時に押出成形され、ソリッドゴム２連チューブ１１の外周に断熱性チューブ１２が密着一体化されている。なお、本発明は実施例の形状に限定されず、ソリッドゴムチューブの外周にスポンジゴム層を構成する断熱性チューブが同時押出成形により一体密着化されればよく、例えば、図３の断熱性管体２のように図２の連結体１１ｃを省いた液体流入路用チューブ２１ａと液体流出路用チューブ２１ｂの外周に断熱性チューブ２２を形成した形状であってもよい。また、冷加熱用袋体の冷却または加熱効果を向上させるため、液体流入路用チューブおよび液体流出路用チューブを複数設置してもよく、例えば、図４のような液体流入路用チューブ３１ａ，３１ｃ、液体流出路用チューブ３１ｂ，３１ｄの各々の外周に断熱性チューブ３２を密着一体化した形状であってもよい。
【図面の簡単な説明】
【００１６】
【図１】本発明の断熱性管体の使用例を示す概略図である。
【図２】本発明の断熱性管体を示した斜視図である。
【図３】本発明の他の実施例を示した斜視図である。
【図４】本発明の他の実施例を示した斜視図である。
【図５】従来の断熱性管体を示した斜視図である。
【図６】従来の断熱性管体を示した斜視図である。
【符号の説明】
【００１７】
１，２，３，４，５    断熱性管体
１１  ソリッドゴム２連チューブ
１１ａ，２１ａ，３１ａ，３１ｃ，４１ａ，５１ａ  液体流入路用チューブ
１１ｂ，２１ｂ，３１ｂ，３１ｄ，４１ｂ，５１ｂ  液体流出路用チューブ
１１ｃ  連結体
１２，２２，３２，４２，５２  断熱性チューブ
４３，５３  空洞部
４４  液体流入用断熱性管路
４５  液体流出用断熱性管路
５２ａ  形状保持体
Ａ  冷加熱装置
Ｂ  水枕
【図１】
2007040377.tif 000003
【図２】
2007040377.tif 000004
【図３】
2007040377.tif 000005
【図４】
2007040377.tif 000006
【図５】
2007040377.tif 000007
【図６】
2007040377.tif 000008